(57)【特許請求の範囲】
【請求項１】
複数の枠体と、該複数の枠体同士を奥行方向に所定寸法の間隔をおいて連結する連結具と、から成る家具が、少なくとも２式組合されている組合せ家具であって、
一方の家具は、該一方の家具における枠体同士が少なくとも他方の家具における枠体の奥行寸法の間隔をおいて連結されているとともに、
他方の家具は、該他方の家具における枠体同士が少なくとも一方の家具における枠体の奥行寸法の間隔をおいて連結されており、
前記２式の家具は、それぞれの家具における枠体の奥行方向の間隔を用いて、互いの枠体の少なくとも一部同士を嵌合させ、組合されていることを特徴とする組合せ家具。
【請求項２】
前記一方の家具における枠体と、前記他方の家具における枠体とが、略同じ奥行寸法であるとともに、
前記一方の家具における枠体同士が連結されている間隔と、前記他方の家具における枠体同士が連結されている間隔とが、略同じ寸法であることを特徴とする請求項１に記載の組合せ家具。
【請求項３】
前記連結具は、前記枠体の奥行方向に延設され各枠体の内周面側に取付けられていることを特徴とする請求項１または２に記載の組合せ家具。
【請求項４】
前記一方の家具における枠体は、該枠体の外周面が前記他方の家具における連結具に当接する位置で、嵌合されていることを特徴とする請求項１ないし３のいずれかに記載の組合せ家具。
【請求項５】
前記一方の家具における枠体の上辺に、上辺連結具が取付けられており、前記他方の家具における枠体は、前記上辺連結具よりも低い高さ寸法であることを特徴とする請求項１ないし４のいずれかに記載の組合せ家具。
【発明の詳細な説明】
【技術分野】
【０００１】
本発明は、複数の枠体と、この複数の枠体同士を奥行方向に所定寸法の間隔をおいて連結する連結具と、から成る家具が、少なくとも２式組合されている組合せ家具であって、例えば商品の展示場に設置され、物品の支持台として使用される家具のうち、特に近似した形状の家具を複数組み合わせて成る組合せ家具に関する。
【背景技術】
【０００２】
従来の家具を複数組み合わせて成る主に収納用の組合せ家具は、箱状を成す家具を、上下方向若しくは左右方向に積み重ね、これらを連結部材によって組合せることで、様々な形状を採ることができる（例えば、特許文献１参照）。
【０００３】
【特許文献１】実開昭５９−１８７３４２号公報（第２頁、第１図）
【発明の開示】
【発明が解決しようとする課題】
【０００４】
しかしながら、特許文献１にあっては、単位となる家具の数を増減して、単位となる大きさの組合せを変えることで、組合せ家具の大きさを変更することに限定されてしまい、組合せ家具を構成してからの大きさの微調整を行うことは出来ないという問題が生じていた。
【０００５】
本発明は、このような問題点に着目してなされたもので、組合せ家具を構成した後に、両家具同士の支持状態を変更することによって大きさを変えることが出来る組合せ家具を提供することを目的とする。
【課題を解決するための手段】
【０００６】
上記課題を解決するために、本発明の請求項１に記載の組合せ家具は、
複数の枠体と、該複数の枠体同士を奥行方向に所定寸法の間隔をおいて連結する連結具と、から成る家具が、少なくとも２式組合されている組合せ家具であって、
一方の家具は、該一方の家具における枠体同士が少なくとも他方の家具における枠体の奥行寸法の間隔をおいて連結されているとともに、
他方の家具は、該他方の家具における枠体同士が少なくとも一方の家具における枠体の奥行寸法の間隔をおいて連結されており、
前記２式の家具は、それぞれの家具における枠体の奥行方向の間隔を用いて、互いの枠体の少なくとも一部同士を嵌合させ、組合されていることを特徴としている。
この特徴によれば、２式の家具それぞれにおける枠体の奥行方向の間隔を用いて嵌合して支持させることで、特に、組合せ家具を構成した後に、両家具同士の嵌合状態を変更することで、大きさを自在に調整することが出来る。また、互いの枠体のサイズ、嵌合深さ、若しくは嵌合する枠体の数を適宜調整することで、少なくとも２式の家具を用途に応じたバリエーションに富んだ組合せで構成若しくは変更することができる。
【０００７】
本発明の請求項２に記載の組合せ家具は、請求項１に記載の組合せ家具であって、
前記一方の家具における枠体と、前記他方の家具における枠体とが、略同じ奥行寸法であるとともに、
前記一方の家具における枠体同士が連結されている間隔と、前記他方の家具における枠体同士が連結されている間隔とが、略同じ寸法であることを特徴としている。
この特徴によれば、それぞれの家具を、略同じ奥行寸法の枠体で構成するとともに、枠体同士の間隔を略同じ寸法で連結しているため、枠体及び連結具の仕様を同じくして、組合せ家具の製作手間やコストを抑えることが出来る。
【０００８】
本発明の請求項３に記載の組合せ家具は、請求項１または２に記載の組合せ家具であって、
前記連結具は、前記枠体の奥行方向に延設され各枠体の内周面側に取付けられていることを特徴としている。
この特徴によれば、連結具が奥行方向に延設され各枠体の内周面側に取付けられていることで、連結具が枠体の内側に隠れ易くなり、組合せ家具の外観体裁を損なうことがない。
【０００９】
本発明の請求項４に記載の組合せ家具は、請求項１ないし３のいずれかに記載の組合せ家具であって、
前記一方の家具における枠体は、該枠体の外周面が前記他方の家具における連結具に当接する位置で、嵌合されていることを特徴としている。
この特徴によれば、一方の家具における枠体を、他方の家具における連結具に当接させることで、連結具を利用して２式の家具同士の嵌合深さを奥行方向に揃え、位置決めすることが出来る。
【００１０】
本発明の請求項５に記載の組合せ家具は、請求項１ないし４のいずれかに記載の組合せ家具であって、
前記一方の家具における枠体の上辺に、上辺連結具が取付けられており、前記他方の家具における枠体は、前記上辺連結具よりも低い高さ寸法であることを特徴としている。
この特徴によれば、他方の家具における枠体が、一方の家具における枠体の上辺に取付けられた上辺連結具よりも低い高さ寸法であるため、他方の家具における枠体が、一方の家具における上辺連結具により規制されることがなく、互いの枠体の嵌合深さの自由度を高めることが出来る。
【発明を実施するための最良の形態】
【００１１】
本発明の実施例を以下に説明する。
【実施例】
【００１２】
本発明の実施例を図面に基づいて説明すると、先ず図１は、本発明の実施例における組合せ家具の全体像を示す斜視図である。図２は、組合せ家具を構成する一方の家具の構造を示す斜視図である。図３（ａ）は、組合せ家具を構成する一方の家具の平面図であり、（ｂ）は、同じく正面図である。図４は、組合せ家具を構成する他方の家具の構造を示す斜視図である。図５（ａ）は、組合せ家具を構成する他方の家具の平面図であり、（ｂ）は、同じく正面図である。図６（ａ）は、組合せ家具の平面図であり、（ｂ）は、（ａ）のＡ−Ａ断面図である。図７は、本発明の変形例における組合せ家具の平面図である。
【００１３】
図１の符号１は、本発明の適用された組合せ家具である。組合せ家具１は、同様の構造を有する家具１０と家具２０とから構成されている什器であって、これら家具１０，２０を適宜嵌合させることで組み合わせ、例えば売場スペースにおいて設置し、上面である載置面に、例えば展示物品を陳列する等して使用する。以下、家具１０，２０を構成する枠体１１，２１をロ字状に視る向きを正面とし、複数の枠体１１，２１が順次配置される方向を奥行方向として説明する。
【００１４】
家具１０は、棒状の板材により正面視略正方形に形成された複数の枠体１１と、この複数の枠体１１を奥行方向に所定間隔をおいて連結する上辺連結具１２、連結具１３と、から主として構成される。また、家具２０は、棒状の板材により正面視略長方形に形成された複数の枠体２１と、この複数の枠体２１を奥行方向に所定間隔をおいて連結する連結具２２，２３と、から主として構成される。
【００１５】
組合せ家具１の構成について具体的に説明すると、図２及び図３（ａ）、（ｂ）に示されるように、家具１０は、本実施例では計１２枚の同形状の枠体１１同士全てが、後述する家具２０における枠体２１の奥行寸法とそれぞれ略同じ寸法の間隔をおいて、上辺連結具１２，連結具１３により連結されている。すなわち、家具１０は、全体として周面に等間隔の溝が形成された略立方体形状を有している。
【００１６】
より詳細には、各枠体１１における上辺の内周面２箇所に、具体的には一方の側辺近傍の箇所と他方の側辺寄りの箇所とに、凹溝が形成され、奥行方向に延設される角材である上辺連結具１２が、前記凹溝それぞれに嵌合されることで枠体１１同士を連結している。同様に、各枠体１１における下辺の外周面１箇所に、具体的には前記他方の側辺寄りの箇所に、凹溝が形成され、奥行方向に延設される角材である連結具１３が、前記凹溝に嵌合されることで枠体１１同士を連結している。このように、上辺連結具１２が奥行方向に延設され各枠体１１の内周面に取付けられていることで、上辺連結具１２が枠体１１の内側に隠れ易くなり、組合せ家具１の外観体裁を損なうことがない。
【００１７】
上辺連結具１２及び連結具１３は、両端に配置された枠体１１の内側面に固着されたＬ字金具１６に、上辺連結具１２及び連結具１３の両端が取付けられることで、全ての枠体１１を連結している。
【００１８】
また、枠体１１の上面に、透明性を有する円形状の載置板１５が、ゴム製の取付部材１８を介して取付けられている。この載置板１５は、後述する家具１０，２０同士の組合せに対応して枠体１１の上面の任意の箇所に着脱自在に成っている。また、両端に配置された枠体１１の下面に、家具１０を床面に対し安定して設置できる設置用部材１７が取付けられている。
【００１９】
次に、図４及び図５（ａ）、（ｂ）に示されるように、家具２０は、本実施例では計８枚の同形状の枠体２１同士全てが、前述した家具１０における枠体１１の奥行寸法とそれぞれ略同じ寸法の間隔をおいて、連結具２２、連結具２３により連結されている。すなわち、家具２０は、全体として周面に等間隔の溝が形成された略直方体形状を有している。
【００２０】
より詳細には、各枠体２１における上辺の内周面２箇所に、具体的には一方の側辺近傍の箇所と略中央の箇所とに、凹溝が形成され、奥行方向に延設される角材である連結具２２が、前記凹溝それぞれに嵌合されることで枠体２１同士を連結している。同様に、各枠体２１における下辺の外周面２箇所に、具体的には前記一方の側辺近傍の箇所と略中央の箇所とに、凹溝が形成され、奥行方向に延設される角材である連結具２３が、前記凹溝それぞれに嵌合されることで枠体２１同士を連結している。このように、連結具２２が奥行方向に延設され各枠体２１の内周面に取付けられていることで、連結具２２が枠体２１の内側に隠れ易くなり、組合せ家具１の外観体裁を損なうことがない。
【００２１】
連結具２２及び連結具２３は、両端に配置された枠体２１の内側面に固着されたＬ字金具２６に、連結具２２及び連結具２３の両端が取付けられることで、全ての枠体２１を連結している。
【００２２】
また、枠体２１の上面に、透明性を有する円形状の載置板２５が、ゴム製の取付部材２８を介して取付けられている。この載置板２５は、後述する家具１０，２０同士の組合せに対応して枠体１１の上面の任意の箇所に着脱自在に成っている。また、両端に配置された枠体２１の下面に、家具２０を床面に対し安定して設置できる設置用部材２７が取付けられている。
【００２３】
また、家具２０における枠体２１は、家具１０に取付けられた上辺連結具１２よりも低い高さ寸法を有している。
【００２４】
更に、家具１０における枠体１１と、家具２０における枠体２１とが、略同じ奥行寸法であるとともに、家具１０における枠体１１同士が連結されている間隔と、家具２０における枠体２１同士が連結されている間隔とが、略同じ寸法である。
【００２５】
次に、図１及び図６（ａ）、（ｂ）に示されるように、組合せ家具１を構成する２式の家具１０、家具２０の組合せについて説明すると、２式の家具１０，２０は、それぞれの家具１０，２０における枠体１１，２１の奥行方向の間隔を用いて、互いの枠体１１，２１の少なくとも一部同士を嵌合させ、組合されている。
【００２６】
具体的には、家具２０が、家具１０に対し、家具１０における連結具１３からより離間している側の側辺から嵌合しており、また家具２０における全ての枠体２１が、家具１０における枠体１１の間に嵌合され、且つ家具２０における枠体２１の外周面が、家具１０における連結具１３に近接若しくは当接する嵌合深さ位置で、嵌合されている。このように、いずれか一方の家具２０における枠体２１の外周面を、他方の家具１０における連結具１３に近接若しくは当接させることで、連結具１３を利用して２式の家具１０，２０同士の嵌合深さを奥行方向に揃え、位置決めすることが出来る。
【００２７】
また、家具２０における枠体２１が、家具１０における枠体１１の上辺に取付けられた上辺連結具１２よりも低い高さ寸法であるため、家具２０における枠体２１が、家具１０における上辺連結具１２により規制されることがなく、互いの枠体１１，２１の嵌合深さの自由度を高めることが出来る。
【００２８】
更に、それぞれの家具１０，２０を、略同じ奥行寸法の枠体１１，２１で構成するとともに、枠体１１同士の間隔及び枠体２１同士の間隔を全て略同じ寸法で連結しているため、枠体１１，２１及び上辺連結具１２、連結具１３，２２，２３の仕様を同じくして、組合せ家具１の製作手間やコストを抑えることが出来る。また、家具１０における枠体１１と家具２０における枠体２１とを、各枠体１１，２１の何処においても嵌合できる。
【００２９】
尚、正面視略長方形状の家具２０は、本実施例では短辺を上下方向に配置しているが、例えば長辺を上下方向に配置し、立てた状態にして家具１０と嵌合して使用することもできる。このようにすることで、家具１０，２０同士のバリエーションに富んだ組合せが可能となる。
【００３０】
以上、本発明の実施例を図面により説明してきたが、具体的な構成はこれら実施例に限られるものではなく、本発明の要旨を逸脱しない範囲における変更や追加があっても本発明に含まれる。
【００３１】
例えば、上記実施例では、家具２０が、家具１０に対し、家具１０における連結具１３からより離間している側の側辺から嵌合しており、また家具２０における全ての枠体２１が、家具１０における枠体１１の間に嵌合されているが、家具１０，２０同士の嵌合の態様は、必ずしも上記実施例に限らない。例えば、本発明の変形例として、図７に示されるように、家具２０が、家具１０に対し、家具１０における連結具１３から近傍の側の側辺から嵌合しており、また家具２０における一部のみの枠体２１が、家具１０における枠体１１の間に嵌合されていてもよい。
【００３２】
上記実施例若しくは変形例のように、２式の家具１０，２０それぞれにおける枠体１１，２１の奥行方向の間隔を用いて嵌合して支持させることで、特に、組合せ家具１を構成した後に、両家具１０，２０同士の嵌合状態を変更することで、大きさを自在に調整することが出来る。また、互いの枠体１１，２１のサイズ、嵌合深さ、若しくは嵌合する枠体１１，２１の数を適宜調整することで、少なくとも２式の家具１０，２０を用途に応じたバリエーションに富んだ組合せで構成若しくは変更することができる。また、家具１０，２０同士の嵌合深さを適宜変更しても、嵌合された深さ分を控除した家具２０における枠体２１の上面が載置面として常に現われるため、嵌合の態様を変更する度ごとに一々載置面を準備する必要がない。
【００３３】
また例えば、上記実施例では、複数の枠体と、この複数の枠体同士を奥行方向に所定寸法の間隔をおいて連結する連結具と、から成る家具が組み合わされているが、家具の構成は、必ずしも上記実施例に限られない。例えば、複数の板状体と、該複数の板状体同士を奥行方向に所定寸法の間隔をおいて連結する連結具と、から成る家具が、少なくとも２式組合されている組合せ家具であって、一方の家具は、該一方の家具における板状体同士が少なくとも他方の家具における板状体の奥行寸法の間隔をおいて連結されているとともに、他方の家具は、該他方の家具における板状体同士が少なくとも一方の家具における板状体の奥行寸法の間隔をおいて連結されており、前記２式の家具は、それぞれの家具における板状体の奥行方向の間隔を用いて、互いの板状体の少なくとも一部同士を嵌合させ、組合されていてもよい。このように、２式の家具それぞれにおける板状体の奥行方向の間隔を用いて嵌合して支持させることで、特に、組合せ家具を構成した後に、両家具同士の嵌合状態を変更することで、大きさを自在に調整することが出来る。また、互いの板状体のサイズ、嵌合深さ、若しくは嵌合する板状体の数を適宜調整することで、少なくとも２式の家具を用途に応じたバリエーションに富んだ組合せで構成若しくは変更することができる。
【００３４】
また、上記実施例では、組合せ家具１を構成する家具は、家具１０及び家具２０の２式であるが、組合せ家具は３式以上の家具で構成されていても良い。また、これら家具のうち、一部の家具同士または全部の家具同士が、同じ形状に形成されていてもよい。
【００３５】
また、上記実施例では、家具１０における枠体１１と、家具２０における枠体２１が略同じ寸法であるが、例えば、一方の家具における枠体と、他方の家具における枠体とが異なった奥行寸法に形成されており、前記一方の家具における枠体が前記他方の家具における枠体の奥行寸法と略同じ寸法の間隔をおいて連結されるとともに、前記他方の家具における枠体が前記一方の家具における枠体の奥行寸法と略同じ寸法の間隔をおいて連結されていてもよい。
【００３６】
更に、上記実施例では、家具１０における枠体１１同士、若しくは家具２０における枠体２１同士が、幅方向に揃えた状態で奥行方向に所定間隔をおいて配置され、家具１０全体として略立方体形状、若しくは家具２０全体として略直方体形状を有しているが、例えば、枠体同士が幅方向に順次ずれた態様で奥行方向に所定間隔をおいて配置され、家具全体として平面視略平行四辺形の立体形状を有していてもよい。
【図面の簡単な説明】
【００３７】
【図１】本発明の実施例における組合せ家具の全体像を示す斜視図である。
【図２】組合せ家具を構成する一方の家具の構造を示す斜視図である。
【図３】（ａ）は、組合せ家具を構成する一方の家具の平面図であり、（ｂ）は、同じく正面図である。
【図４】組合せ家具を構成する他方の家具の構造を示す斜視図である。
【図５】（ａ）は、組合せ家具を構成する他方の家具の平面図であり、（ｂ）は、同じく正面図である。
【図６】（ａ）は、組合せ家具の平面図であり、（ｂ）は、（ａ）のＡ−Ａ断面図である。
【図７】本発明の変形例における組合せ家具の平面図である。
【符号の説明】
【００３８】
１                組合せ家具
１０              家具
１１              枠体
１２              上辺連結具
１３              連結具
１５              載置板
２０              家具
２１              枠体
２２              連結具
２３              連結具
２５              載置板
【図１】
0005080935.tif 000002
【図２】
0005080935.tif 000003
【図３】
0005080935.tif 000004
【図４】
0005080935.tif 000005
【図５】
0005080935.tif 000006
【図６】
0005080935.tif 000007
【図７】
0005080935.tif 000008